【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
ＨＥＶＣビデオデータを符号化または復号する方法であって、
ビュー間予測された動きベクトル候補（ＩＰＭＶＣ）を動きベクトル継承（ＭＶＩ）候補と比較することと、
前記ＩＰＭＶＣおよび前記ＭＶＩ候補が各々、従属深度ビュー中のビデオデータのブロックと関連付けられ、
前記従属深度ビュー中の前記ブロックと関連付けられる前記ＭＶＩ候補が、前記従属深度ビュー中のビデオデータの前記ブロックに対応するテクスチャビュー中のビデオデータのすでにコーディングされたブロックの動きベクトルおよび／または参照インデックスが利用可能である場合、前記動きベクトルおよび参照インデックスを再使用し、
前記ＩＰＭＶＣが、前記従属深度ビュー中のビデオデータの前記ブロックに対応する参照深度ビュー中のビデオデータのブロックから生成され、
前記ＩＰＭＶＣが前記ＭＶＩ候補と異なることに基づいて前記ＩＰＭＶＣを統合候補リストに追加すること、または、前記ＩＰＭＶＣが前記ＭＶＩ候補と同一であることに基づいて前記統合候補リストから前記ＩＰＭＶＣを除外することの１つを実行することと、
を備える、方法。
【請求項２】
前記ＩＰＭＶＣを前記統合リストに追加することが、
前記ＭＶＩ候補が前記統合候補リストへの追加に利用可能ではないことに基づいて、前記統合候補リスト内の最初の位置において前記ＩＰＭＶＣを挿入すること、または、前記ＭＶＩ候補が前記統合候補リストへの追加に利用可能であることに基づいて、前記統合候補リスト内の前記ＭＶＩ候補の位置に後続する前記統合候補リスト内の位置において前記ＩＰＭＶＣを挿入することの１つを実行することを備える、請求項１に記載の方法。
【請求項３】
前記ＩＰＭＶＣを前記ＭＶＩ候補と比較することが、
前記ＩＰＭＶＣと関連付けられる動き情報を前記ＭＶＩ候補と関連付けられる対応する動き情報と比較することと、
前記ＩＰＭＶＣと関連付けられる少なくとも１つの参照インデックスを前記ＭＶＩ候補と関連付けられる少なくとも１つの対応する参照インデックスと比較することと、
を備える、請求項１に記載の方法。
【請求項４】
ビュー間相違動きベクトル候補（ＩＤＭＶＣ）を、前記統合候補リストと関連付けられる第１の空間的候補および前記統合候補リストと関連付けられる第２の空間的候補の利用可能な１つまたは複数と比較することと、
前記ＩＤＭＶＣ、前記第１の空間的候補、および前記第２の空間的候補の各々が、前記従属深度ビュー中のビデオデータの前記ブロックと関連付けられ、
前記ＩＤＭＶＣが、ビデオデータの前記ブロックと関連付けられる相違ベクトルから生成され、
前記ＩＤＭＶＣが前記第１の空間的候補および前記第２の空間的候補の前記利用可能な１つまたは複数の各々とは異なることに基づいて、前記ＩＤＭＶＣを前記統合候補リストに追加すること、または、前記ＩＤＭＶＣが前記第１の空間的候補または前記第２の空間的候補の少なくとも１つと同一であることに基づいて、前記ＩＤＭＶＣを前記統合候補リストから除外することの１つを実行することと、
をさらに備える、請求項１に記載の方法。
【請求項５】
シフトされたＩＰＭＶＣが利用可能であると決定することと、
前記シフトされたＩＰＭＶＣが、前記従属深度ビュー中のビデオデータの前記ブロックと関連付けられ、
前記シフトされたＩＰＭＶＣが、ベース深度ビュー中のビデオデータの前記対応するブロックから生成され、
前記シフトされたＩＰＭＶＣを前記ＩＰＭＶＣと比較することと、
をさらに備える、請求項１に記載の方法。
【請求項６】
前記シフトされたＩＰＭＶＣが前記ＩＰＭＶＣと異なること、および前記統合候補リストが６個未満の候補を含むことに基づいて、前記シフトされたＩＰＭＶＣを前記統合候補リストに追加すること、または、前記シフトされたＩＰＭＶＣが前記ＩＰＭＶＣと同一であることに基づいて、前記シフトされたＩＰＭＶＣを前記統合候補リストから除外することの１つを実行することをさらに備える、請求項５に記載の方法。
【請求項７】
相違シフトされた動きベクトル（ＤＳＭＶ）候補が利用可能であると決定すること、
前記ＤＳＭＶ候補が、前記従属深度ビュー中のビデオデータの前記ブロックと関連付けられ、
前記ＤＳＭＶ候補が、前記従属深度ビュー中のビデオデータの前記ブロックと関連付けられる１つまたは複数の空間的に隣接するブロックを使用して生成され、
をさらに備える、請求項１に記載の方法。
【請求項８】
前記統合候補リストが６個未満の候補を含むことに基づいて、前記ＤＳＭＶ候補を前記統合候補リストに追加することをさらに備える、請求項７に記載の方法。
【請求項９】
前記ＤＳＭＶ候補を前記統合候補リストに追加することが、１）前記統合候補リストに含まれる空間的候補の位置に後続する、および２）前記統合候補リストに含まれる時間的候補の位置に先行する位置において、前記ＤＳＭＶ候補を挿入することを備える、請求項８に記載の方法。
【請求項１０】
前記ＤＳＭＶ候補が利用可能であると決定することが、シフトされたＩＰＭＶＣが利用可能ではないと決定したことに応答し、
前記シフトされたＩＰＭＶＣが、前記従属深度ビュー中のビデオデータの前記ブロックと関連付けられ、
前記シフトされたＩＰＭＶＣが、ビデオデータの前記ブロックのベースビューから生成される、請求項７に記載の方法。
【請求項１１】
前記ＤＳＭＶ候補が、前記従属深度ビュー中のビデオデータの前記ブロックと関連付けられる相違ベクトルをシフトすることによって生成され、
前記相違ベクトルが、前記従属深度ビュー中のビデオデータの前記ブロックと関連付けられる前記１つまたは複数の空間的に隣接するブロックと関連付けられる１つまたは複数の深度値から生成される、請求項７に記載の方法。
【請求項１２】
ＨＥＶＣビデオデータを符号化または復号するためのデバイスであって、
メモリと、
ビュー間予測された動きベクトル候補（ＩＰＭＶＣ）を動きベクトル継承（ＭＶＩ）候補と比較することと、
前記ＩＰＭＶＣおよび前記ＭＶＩ候補が各々、従属深度ビュー中のビデオデータのブロックと関連付けられ、
前記従属深度ビュー中の前記ブロックと関連付けられる前記ＭＶＩ候補が、前記従属深度ビュー中のビデオデータの前記ブロックに対応するテクスチャビュー中のビデオデータのすでにコーディングされたブロックの動きベクトルおよび／または参照インデックスが利用可能である場合、前記動きベクトルおよび参照インデックスを再使用し、
前記ＩＰＭＶＣが、前記従属深度ビュー中のビデオデータの前記ブロックに対応する参照深度ビュー中のビデオデータのブロックから生成され、
前記ＩＰＭＶＣが前記ＭＶＩ候補と異なることに基づいて前記ＩＰＭＶＣを統合候補リストに追加すること、または、前記ＩＰＭＶＣが前記ＭＶＩ候補と同一であることに基づいて前記統合候補リストから前記ＩＰＭＶＣを除外することの１つを実行することと、
を行うように構成される、１つまたは複数のプロセッサと、
を備える、デバイス。
【請求項１３】
前記ＩＰＭＶＣを前記統合リストに追加するために、前記１つまたは複数のプロセッサがさらに、
前記ＭＶＩ候補が前記統合候補リストへの追加に利用可能ではないことに基づいて、前記統合候補リスト内の最初の位置において前記ＩＰＭＶＣを挿入すること、または、前記ＭＶＩ候補が前記統合候補リストへの追加に利用可能であることに基づいて、前記統合候補リスト内の前記ＭＶＩ候補の位置に後続する前記統合候補リスト内の位置において前記ＩＰＭＶＣを挿入することの１つを実行するように構成される、請求項１２に記載のデバイス。
【請求項１４】
前記ＩＰＭＶＣを前記ＭＶＩ候補と比較するために、前記１つまたは複数のプロセッサが、
前記ＩＰＭＶＣと関連付けられる動き情報を前記ＭＶＩ候補と関連付けられる対応する動き情報と比較することと、
前記ＩＰＭＶＣと関連付けられる少なくとも１つの参照インデックスを前記ＭＶＩ候補と関連付けられる少なくとも１つの対応する参照インデックスと比較することと、
を行うように構成される、請求項１２に記載のデバイス。
【請求項１５】
実行されると、ビデオコーディングデバイスの１つまたは複数のプロセッサに、請求項１乃至１１のいずれか１項に記載の方法を行わせる命令によって符号化された、コンピュータ可読記憶媒体。